(57)【要約】本発明による文字入力方法は、使用者がウェブブラウザ１０またはウェブサイトの単語入力窓にマウスカーソル３０を当てるとか前記の単語入力窓を １回以上クリックした時、ふたつ以上の文字ボタン１１０と文字入力の完了信号を入力するための完了ボタン１２０が配列される文字入力窓１００が前記の単語入力窓に接してディスプレイされる段階と、前記の文字ボタン１１０がクリックされれば、クリックされた文字ボタン１１０にあたる文字が前記の単語入力窓に入力される段階と、前記の完了ボタン１２０がクリックされれば、前記の単語入力窓に入力された文字を検索データにして前記の単語入力窓と連係された検索エンジンが駆動されるように駆動信号を発生させる段階と、を備えて構成される。本発明による文字入力方法を利用すれば、マウスの操作だけでウェブブラウザの住所窓やウェブサイトの検索窓などの単語入力窓に文字を入力する時マウスカーソルの移動距離が最小化されることによって文字入力を非常に簡便にできるし、キーボードのキーを覚えることができない人でも容易く文字を入力することができるという長所がある。【選択図】図４
2011503738.tif 000002
【特許請求の範囲】
【請求項１】
使用者がウェブブラウザ１０またはウェブサイトの単語入力窓にマウスカーソル３０を当てるとか前記の単語入力窓を１回以上クリックした時、ふたつ以上の文字ボタン１１０と文字入力の完了信号を入力するための完了ボタン１２０が配列される文字入力窓１００が前記の単語入力窓に接してディスプレイされる段階と、
前記の文字ボタン１１０がクリックされれば、クリックされた文字ボタン１１０にあたる文字が前記の単語入力窓に入力される段階と、
前記の完了ボタン１２０がクリックされれば、前記の単語入力窓に入力された文字を検索データにして前記の単語入力窓と連係された検索エンジンが駆動されるように駆動信号を発生させる段階と、を備える文字入力方法。
【請求項２】
前記の完了ボタン１２０は、前記のふたつ以上の文字ボタン１１０が配列された部位を取り囲むように出力されることを特徴とする請求項１に記載の文字入力方法。
【請求項３】
前記の文字入力窓１００は、前記の文字ボタン１１０がハングルの子音と母音を現わす場合に前記の文字ボタン１１０はハングル字母の手順に配列されて、前記の文字ボタン１１０が英語を現わす場合に前記の文字ボタン１１０はアルファベット手順に配列されて、前記の文字ボタン１１０が数字を現わす場合に前記の文字ボタン１１０は順番に配列されるように出力されることを特徴とする請求項１に記載の文字入力方法。
【請求項４】
前記の単語入力窓に文字が入力される段階は、前記の単語入力窓に入力された単語または文字が含まれた拡張単語を出力するための拡張単語窓１４０が前記の単語入力窓または前記の文字入力窓１００の外郭ラインに接するようにディスプレイされる過程をさらに備えることを特徴とする請求項１に記載の文字入力方法。
【請求項５】
検索エンジンが駆動されるように駆動信号を発生させる段階の以後、使用者が文字入力窓１００を外れた画面にマウスカーソル３０を位置させるとか文字入力窓１００を外れた画面をクリックした時、前記の文字入力窓１００が消える段階をさらに備えることを特徴とする請求項１から請求項４のいずれか一項に記載の文字入力方法。
【請求項６】
前記の単語入力窓に文字が入力される段階は、使用者が文字入力窓１００を外れた画面にマウスカーソル３０を位置させるとか文字入力窓１００を外れた画面をクリックした時、前記の単語入力窓に入力された単語及び文字が全て削除される過程をさらに備えることを特徴とする請求項１から請求項４のいずれか一項に記載の文字入力方法。
【発明の詳細な説明】
【技術分野】
【０００１】
本発明はウェブブラウザ上にディスプレイされて使用者がマウスで文字を入力させることができるように構成される文字入力方法に関し、より詳しくは使用者のマウスカーソルの移動距離を最小化させることによって使用が非常に便利になるように構成される文字入力方法に関するものである。
【背景技術】
【０００２】
最近になってコンピューターを利用したインターネット通信網を通じて全世界が一つのネットワーク化の成り行きにあり、インターネットはもう生活の一部分に発展して特定部類の人々だけが特定の目的にちょっと使うのではなく、平凡な人々もこれによって生活の情報を得るとか余暇を活用する手段となっている。
【０００３】
このようなインターネットの使用人口の底辺拡大にはさまざまな理由があるが、ＰＣのオペレーティングシステムが、使いにくいＤＯＳシステムに比べて使用が易しくて便利なウィンドウ・オペレーティングシステムに発展したこともその一役を担ったと言える。
【０００４】
前述のウィンドウ・オペレーティングシステムの特徴の中の一つが命令の入力手段がキーボードで限定になるのではなくマウスやジョイ・スティックまたはデジタイザーなどのような便利で多様な入力手段を同時に使うことができ、これは使用者がコンピューターシステムのオペレーティングシステムや命令語などを認識することなく、望む所定の命令を実行させることができるようにしてくれるのである。
【０００５】
しかし、前述の環境の中でもホームページの住所、ＩＤ、パスワード、検索単語などを入力するためにはキーボードの利用が必須なのに、これは根本的に多くの構成要素を持つ文字の特性、すなわち、アルファベットは２６個の字母を持っているし、ハングルは３３個の字母（複子音と複母音含み）を持つという特性のためである。
【０００６】
また手が不便でキーボードを使うことは難しいがマウスやジョイ・スティックなどは使用可能な障害者や、キーボードのキーの操作が下手なお年寄り及び子供の場合にはインターネット検索の中に望むホームページ住所を住所窓にテキスト文字列で入力させなければならないから仕方なくマウスだけに頼って自分がよく通ったドメインのみを訪問するようになって、したがって多い機能と情報を持っているインターネットを制限的に使うようになってしまうという問題がある。
【０００７】
このような問題点を解決するために、マウスだけでも望む文字を入力することができるように構成される文字入力窓とこれを利用した文字入力方法が提案された事がある。
【０００８】
以下の添付された図面を参照して従来の文字入力窓及びこれを利用した文字入力方法に対して詳しく説明する。
【０００９】
図１は通常的なウェブブラウザの画面を図示する例示図であり、図２はウェブブラウザ上で従来の文字入力窓がディスプレイされる形象を図示する例示図であり、図３は従来の文字入力窓の画面の構成を図示する例示図である。
【００１０】
図１の図示のように通常的なウェブブラウザ１０は、接続したウェブページがディスプレイされるウェブページ窓１２と、ウェブブラウザ１０を使うのに必要な道具たちが表示される道具窓１４と、接続しようとするウェブサイトの住所を入力させるための住所窓１６を具備している。また、接続したウェブページがポータルサイトやウェブサイトの場合にはウェブページ上に検索しようとする単語を入力する検索窓１８が現われるようになる。
【００１１】
この時、マウスカーソルを住所窓１６や検索窓１８に位置させてマウスの機能キー（未図示）などを用いて文字入力窓が駆動されるように信号を入力すれば、図２の図示のようにウェブブラウザ上に文字入力窓２０が現われるようになる。前記の文字入力窓２０は、実際のキーボードのキー配列と実質的に等しく構成される仮想キーボード２２と、使用者が前記の仮想キーボード２２にマウスカーソルを位置させた後にクリックをした時に、当該の文字がディスプレイされるプレビュー窓２４と、入力された文字を電送するとか取り消しさせるなど動作信号の入力のための動作ボタン２６が用意される。
【００１２】
したがって使用者が仮想キーボード２２の文字ボタンをマウスでクリックすれば当該の文字がプレビュー窓２４に現われるようになって、文字入力が完了した以後に動作ボタン２６を押すようになれば前記のプレビュー窓２４に現われた文字が住所窓１６や検索窓１８に入力される。すなわち、従来の文字入力窓２０を利用すればマウスだけでもウェブブラウザ１０上に文字を入力することができるようになる。
【発明の概要】
【発明が解決しようとする課題】
【００１３】
しかし前記のような文字入力窓２０は、使用者が住所窓１６をクリックした後に文字入力窓の駆動信号を入力した時決まった位置すなわち、使用者がクリックした住所窓１６とはまったく関係ない位置にディスプレイされるのに、図２の図示のように住所窓１６と仮想キーボード２２までの距離が遠い場合にはマウスカーソルをかなり移動させなければならないので、利用が不便であるという短所がある。
【００１４】
また、仮想キーボード２２を利用して望む文字をプレビュー窓２４に入力した以後に入力された文字にあたるサイトに接続するためには、入力された文字を住所窓１６に入力するために動作ボタン２６をクリックする動作と、住所窓１６に入力された文字にあたるサイトに接続するためのウェブブラウザの駆動動作（住所窓の右側にある移動ボタンをクリックする動作やキーボードのエンターキーを打つ動作）がそれぞれ別に成り立てなければならないので使用が煩わしいという短所がある。
【００１５】
また、前記のような従来の文字入力窓２０は仮想キーボード２２のキー配列が実際のキーボードと等しいので、実際のキーボードのキーを覚えることができない使用者は文字を入力するのに非常に多い困難がある。
【００１６】
本発明は前記のような問題点を解決するために提案されたことで、マウスの操作だけでウェブブラウザの住所窓やウェブサイトの検索窓に文字を入力する動作が非常に簡便であり、キーボードのキーを覚えることができない人でも容易く文字を入力するように構成される文字入力窓を提供することに目的がある。
【課題を解決するための手段】
【００１７】
前記のような目的を果たすための本発明による文字入力方法は、使用者がウェブブラウザまたはウェブサイトの単語入力窓にマウスカーソルを当てるとか前記の単語入力窓を１回以上クリックした時、ふたつ以上の文字ボタンと文字入力の完了信号を入力するための完了ボタンが配列される文字入力窓が前記の単語入力窓に接してディスプレイされる段階と、前記の文字ボタンがクリックされれば、クリックされた文字ボタンにあたる文字が前記の単語入力窓に入力される段階と、前記の完了ボタンがクリックされれば、前記の単語入力窓に入力された文字を検索データにして前記の単語入力窓と連係された検索エンジンが駆動されるように駆動信号を発生させる段階と、を備える。
【発明の効果】
【００１８】
本発明による文字入力方法を利用すれば、マウスの操作だけでウェブブラウザの住所窓やウェブサイトの検索窓など単語入力窓に文字を入力する時マウスカーソルの移動距離が最小化されることによって文字入力を非常に簡便にできて、キーボードのキーを覚えることができない人でも容易く文字を入力することができるという長所がある。
【図面の簡単な説明】
【００１９】
【図１】図１は通常的なウェブブラウザの画面を図示する例示図である。
【図２】図２はウェブブラウザ上で従来の文字入力窓がディスプレイされる形象を図示する例示図である。
【図３】図３は従来の文字入力窓の画面の構成を図示する例示図である。
【図４】図４はウェブブラウザの住所窓に文字を入力する時文字入力窓がディスプレイされる形象を図示する。
【図５】図５はハングル及び数字の入力のための文字入力窓の構成を図示する。
【図６】図６はウェブサイトの検索窓に文字を入力する時文字入力窓がディスプレイされる形象を図示する。
【図７】図７は英語の入力のための文字入力窓の構成を図示する。
【図８】図８は文字入力窓の第２実施例を図示する。
【図９】図９は文字入力窓の第３実施例を図示する。
【図１０】図１０は文字入力窓の第４実施例を図示する。
【図１１】図１１は 文字入力窓の第５実施例を図示する。
【発明を実施するための形態】
【００２０】
本発明による文字入力方法は、マウスの操作だけで単語入力窓に文字を入力する時に、マウスカーソルの移動距離を最小化させることによって、文字入力が容易くなるようにするという点に最大の特徴がある。
【００２１】
以下、添付された図面を参照して本発明による文字入力方法の実施例を詳しく説明する。
【００２２】
図４はウェブブラウザの住所窓に文字を入力する時文字入力窓がディスプレイされる形象を図示して、図５はハングル及び数字入力のための文字入力窓の構成を図示する。
【００２３】
ウェブブラウザ１０及びウェブサイトに存在するいくつかの単語入力窓の中で使用者がどの一つの単語入力窓を選択しようとする時には、当該の単語入力窓をクリックしなければならない。
【００２４】
この時本発明による文字入力方法はどの一つの単語入力窓を選択した時に文字入力窓１００が単語入力窓に接するようにディスプレイされる。前記の文字入力窓１００は、ウェブブラウザ１０及びウェブサイトに存在するいくつかの単語入力窓の中で使用者が文字入力をしようとする単語入力窓（以下‘選択単語入力窓'と略称）の周辺にディスプレイされることによって、選択単語入力窓との距離を最小化させるという点に最大の特徴がある。
【００２５】
例えば、使用者がウェブブラウザ１０の住所窓１６に文字を入力するためにマウスカーソル３０を前記の住所窓１６に当ててクリックをすれば、文字入力窓１００は図４の図示のように前記の住所窓１６の下側に密着されるようにディスプレイされる。このように文字入力窓１００が住所窓１６のすぐ下にディスプレイされれば、使用者はマウスカーソル３０を少しだけ下に移動させて前記の文字入力窓１００を操作することができるので、より早く簡便にマウスだけでも文字を入力することができるようになる。
【００２６】
この時、文字入力窓１００は、住所窓１６の上側または左右側に密着されるようにディスプレイされることもできるが、住所窓１６の上側にディスプレイされる場合はマウスカーソルによって住所窓１６が覆われることになり、住所窓１６の左右側にディスプレイされる場合は文字入力窓１００までのマウスカーソル３０の移動距離が遠くなるので、本実施例の図示のように住所窓１６の下側に密着されるようにディスプレイされることが好ましい。
【００２７】
また文字入力窓１００には、入力する文字を選択するための文字ボタン１１０たちと、文字入力の完了信号を入力するための完了ボタン１２０と、各種の付随的な機能のための機能ボタン１３０がディスプレイされる。
【００２８】
この時、住所窓１６では一般的にアルファベットを入力しなければならない場合が大部分なので、前記の文字ボタン１１０たちは英語のアルファベットを入力するようにＡ〜Ｚまでのアルファベットと‘.’などのボタンに表現される。この時、一般的なキーボードの場合にはよく使うアルファベットがキーボードの中の部位に位置して、よく使わないアルファベットが外側の部位に位置するように配列されているが、文字入力窓１００は各文字ボタン１１０たちがアルファベット順に配列されるという点にまたの特徴がある。このように前記の各文字ボタン１１０たちがアルファベット順に配列されれば、英文のキーを覚えることができないタイピングの初心者であっても入力しようとするアルファベットをより早く捜すことができるのでより容易く英文を入力することができるという長所がある。
【００２９】
また文字入力窓１００には、図５の図示のようにハングルを入力するために前記の文字ボタン１１０をハングルの字母に変換させるための“韓/英”ボタンや、本実施例には図示されないが間違えて入力された文字を削除するための“Ｄｅｌ”ボタンのような多様な機能ボタン１３０がディスプレイされることができる。
【００３０】
このような機能ボタン１３０は一般的なキーボードに装着されている多数の機能キー（Ｆｕｎｃｔｉｏｎ  Ｋｅｙ）と等しい機能を持っているので、これに対する詳細な説明は略する。すなわち、文字入力窓１００には、使用者の必要によって一般のキーボードに装着されているどんな機能キーでもディスプレイされることができる。
【００３１】
文字入力窓１００には前記の文字ボタン１１０と機能ボタン１３０以外にも文字入力が完了したという信号を入力することができる完了ボタン１２０がディスプレイされることができる。
【００３２】
前記の完了ボタン１２０は、使用者によってクリックされた時、文字入力窓１００全体が消えるようにする信号を発生するように構成されることができる。このように文字入力窓１００全体が消えれば、文字入力が完了したことを使用者に確認させることができるという效果と、前記の文字入力窓１００が覆っていた画面がまた使用者に見えるようになることができるという效果がある。
【００３３】
しかし前記の完了ボタン１２０が単純に文字入力窓１００を消えるようにする機能のみを遂行するようになれば、使用者は完了ボタン１２０をクリックした以後に住所窓１６に入力したサイトに接続をするためには住所窓１６の右側に位置した移動ボタン１７を再びクリックしなければならないという煩わしさがある。したがって前記の完了ボタン１２０は、使用者によってクリックされた時に、入力された文字を検索データにして前記の住所窓１６と連係された検索エンジンが駆動されるようにすなわち、前記の住所窓１６に入力されたサイトに接続するように駆動信号を発生するように構成されることが好ましい。
【００３４】
また前記の完了ボタン１２０は図５に図示された文字ボタン１１０や機能ボタン１３０と等しい大きさ及び形象に形成されて前記の文字ボタン１１０及び機能ボタン１３０と一緒に配列されることもできるが、このような場合は最後にクリックした文字ボタン１１０と完了ボタン１２０の間の距離が遠ければマウスカーソル３０を遠く移動させなければならないという煩わしさが発生される。例えば最後に入力した文字ボタン１１０が右上端に位置して完了ボタン１２０の左下端に位する場合、最後に文字ボタン１１０をクリックした後マウスカーソル３０を文字入力窓１００の対角線の長さ位置に移動させなければならないので利用に不便を惹起させることができるようになる。勿論、完了ボタン１２０を文字入力窓１００の所所に複数個を備えれば前記のような不便さが解消されることができるが、完了ボタン１２０が複数個具備されれば文字ボタン１１０の配列が不規則になって文字入力窓１００の全体の大きさが大きくなるという問題点が発生するようになる。
【００３５】
したがって前記の完了ボタン１２０は、最後に入力した文字ボタン１１０がどんなものでも入力ボタンまでの距離を最小化させることができるように、前記の文字ボタン１１０たちが配列された部位を取り囲む形象（本実施例では四角フレームの形象）に形成されることが好ましい。このように前記の完了ボタン１２０が文字ボタン１１０の配列を取り囲むように形成されれば、最後にクリックした文字ボタン１１０が‘Ａ〜Ｇ’の場合は完了ボタン１２０の上端側をクリックして、最後にクリックした文字ボタン１１０が‘Ｖ〜Ｚ’の場合は完了ボタン１２０の下端側をクリックすることによって、最後に文字ボタン１１０をクリックした以後完了ボタン１２０までマウスカーソル３０を移動させる距離を最小化させることができるようになる。
【００３６】
また、本実施例では文字入力窓１００が住所窓１６をクリックした時のディスプレイされる場合のみを説明しているが、文字入力窓１００は使用者がマウスカーソル３０を住所窓１６に当てる動作によってディスプレイされるように構成されることもできる。このようにマウスカーソル３０を当てることによって別途の出力窓がディスプレイされる構造は本発明があたる技術分野で使用化されていることなので、これに対する詳細な説明は略する。
【００３７】
図６はウェブサイトの検索窓１８に文字を入力する時文字入力窓１００がディスプレイされる形象を図示して、図７は英語の入力のための文字入力窓１００の構成を図示する。
【００３８】
文字入力窓１００は、図４及び図５の図示のように住所窓１６に接するようにディスプレイされることもできるし、図６及び図７の図示のようにウェブサイトの検索窓１８にマウスを当てるとか検索窓１８をクリックした時にディスプレイされることもできる。
【００３９】
この時、前記の検索窓１８には一般的にハングル及び数字を入力する場合が大部分なので、前記の文字ボタン１１０はハングルの子音と母音及び数字を入力することができるように構成される。この時、ハングルの子音と母音を現わす文字ボタン１１０はハングル字母の手順に配列されて、数字を現わす文字ボタン１１０は順番に配列されることによって、ハングルのキーを覚えることができない使用者でも早く簡便に自分が入力しようとするハングル及び数字を入力させることができるようになる。
【００４０】
勿論、図６及び図７に図示された文字入力窓１００は入力文字を英文とハングルに相互変換させる機能ボタン１３０のクリックによって図４及び図５に図示された英文入力用の文字入力窓１００に変換されることができる。
【００４１】
また、文字入力窓１００は住所窓１６や検索窓１８を使う時だけでなくウェブサイトのログインのためにＩＤとパスワードを入力する入力窓を使う時にも活用することができる。
【００４２】
図６及び図７に図示された文字入力窓１００は図４及び図５に図示された文字入力窓１００と操作方法及び動作構成が実質的に等しいので、これに対する詳細な説明は略する。
【００４３】
図８は文字入力窓１００の第２実施例を図示する。
【００４４】
文字入力窓１００は、図４ないし図７に図示された完了ボタン１２０が省略されるように構成されることもできる。すなわち、文字入力窓１００は、図８の図示のように文字ボタン１１０と完了ボタン１２０だけで構成されることもできるし、さらに文字ボタン１１０だけでも構成されることができる。
【００４５】
このように完了ボタン１２０が省略される場合には、図８の図示のように文字入力が完了した以後、検索窓１８の一側に具備された検索実行ボタン１９をクリックすることで入力された文字で検索を遂行することができる。文字入力窓１００で完了ボタン１２０が省略されれば文字入力を終えた以後に検索実行ボタン１９までマウスカーソル３０を移動させなければならないという煩わしさがあるが、文字入力窓１００が小型化されることができるし、文字入力窓１００を具現するためのプログラムが手短になるという長所がある。
【００４６】
図９は文字入力窓の第３実施例を図示して、図１０は文字入力窓の第４実施例を図示する。
【００４７】
文字入力窓１００は、使用者が検索窓１８に単語または文字を入力する時、入力された単語または文字が含まれた拡張単語を出力する拡張単語窓１４０が追加にディスプレイされるように構成されることができる。
【００４８】
例えば、図９及び図１０の図示のように使用者が検索窓１８に“特許”という単語を入力した時、拡張単語窓１４０には使用者が入力した“特許”という単語を含んだ拡張単語すなわち、“特許法”、“特許法律事務所”、“特許庁”、“特許庁長”などの単語が拡張単語窓１４０に出力されるように構成されることができる。
【００４９】
このように別途の拡張単語窓１４０が追加にディスプレイされれば、使用者は自分が望む単語を全て入力しなくても前記の拡張単語窓１４０に出力されたどの一つの拡張単語を選択することによって、文字入力を非常に簡便にできるという長所がある。このような拡張単語窓１４０は、ＩＤを入力する窓や、インターネットショッピングモールのショッピング品目を検索する窓などに広く使われているので、これに対する詳細な説明は略する。
【００５０】
この時、前記の拡張単語窓１４０は、文字ボタン１１０や機能ボタン１２０、完了ボタン１２０などを覆わないように、図９の図示のように一番の下側にディスプレイされるとか、図１０の図示のように検索窓１８の外郭ラインに接するようにディスプレイされることが好ましい。
【００５１】
図９の図示のように拡張単語窓１４０が文字入力窓１００の一番の下側に位置するようになれば、文字を入力する領域すなわち、文字ボタン１１０と接するようになるので文字を入力する途中に拡張単語窓１４０に出力された拡張単語を早く選択することができるという長所がある。
【００５２】
また、図１０の図示のように前記の拡張単語窓１４０が検索窓１８の外郭ラインに直接に接するようにディスプレイされれば、検索窓１８に入力された単語と拡張単語窓１４０に出力された単語をより容易く比べることができるという長所がある。
【００５３】
勿論、前記の拡張単語窓１４０のディスプレイの位置は本実施例に言及された位置以外の多様な位置に変更されることができる。
【００５４】
図１１は文字入力窓の第５実施例を図示する。
【００５５】
文字入力窓１００は、使用者が文字入力窓１００を操作する途中に前記の文字入力窓１００によって覆われた画面を見ようとする場合のために使用者の操作によって直ちに消えるように構成されることができる。
【００５６】
この時前記の文字入力窓１００は図１１の図示のように、使用者が文字入力窓１００を外れた画面にマウスカーソル３０を位置させた時消えるようにプログラム化されることもできるし、使用者が前記の文字入力窓１００を外れた画面をクリックした時消えるようにプログラム化されることもできる。
【００５７】
このように文字入力窓１００を外れた画面にマウスカーソル３０を位置させるとか文字入力窓１００を外れた画面をクリックする操作は、文字入力窓１００に具備される各ボタンを選択する操作に比べて非常に容易である。したがって文字入力窓１００を外れた画面にマウスカーソル３０を位置させるとか文字入力窓１００を外れた画面をクリックする操作によって前記の文字入力窓１００が消えるようにプログラム化されれば、使用者はより容易く前記の文字入力窓１００を消えるようにできるという長所がある。
【００５８】
また文字入力窓１００は、使用者が文字入力窓１００を操作して検索窓１８に文字及び単語を入力する途中に自分が入力した文字及び単語を全て削除しようとする場合のために、使用者の操作によって前記の検索窓１８に入力された文字及び単語を削除するように構成されることができる。
【００５９】
例えば、文字入力窓１００は使用者が文字入力窓１００を外れた画面にマウスカーソル３０を位置させた時に、検索窓１８に入力された文字及び単語を削除するようにプログラム化されることもできるし、使用者が前記の文字入力窓１００を外れた画面をクリックした時に、検索窓１８に入力された文字及び単語を削除するようにプログラム化されることもできる。
【００６０】
勿論、文字入力窓１００は前記で言及した二つの機能が同時に具現されるようにすなわち、使用者の操作によって画面から消えることと同時に前記の検索窓１８に入力された文字及び単語を削除するようにプログラム化されることもできる。
【００６１】
また、図７ないし図１１に図示された文字入力窓１００の五つの実施例たちは、検索窓１８と連係されてディスプレイされる場合だけ説明されているが、前記の各実施例たちは住所窓１６に連係されてディスプレイされることができる。
【００６２】
以上、本発明を好ましい実施例を使って詳しく説明したが、本発明の範囲は特定の実施例に限定されるのではなくて、添付された特許請求範囲によって解釈されなければならないだろう。また、この技術分野で通常の知識を習得した者なら、本発明の範囲から脱しないながらも多くの修正と変形が可能であることを理解しなければならないだろう。
【図１】
2011503738.tif 000003
【図２】
2011503738.tif 000004
【図３】
2011503738.tif 000005
【図４】
2011503738.tif 000006
【図５】
2011503738.tif 000007
【図６】
2011503738.tif 000008
【図７】
2011503738.tif 000009
【図８】
2011503738.tif 000010
【図９】
2011503738.tif 000011
【図１０】
2011503738.tif 000012
【図１１】
2011503738.tif 000013
【国際調査報告】
2011503738.tif 000014
2011503738.tif 000015